(57)【要約】      （修正有）【課題】エレベータ装置の待ち時間を短縮させて、使い勝手を向上させるエレベータシステム及びその制御方法を提供する。【解決手段】隣接して設置された複数のエレベータ装置を有するエレベータシステム及びその制御方法において、各フロアに各エレベータ装置に共通して設置された操作盤と、各エレベータ装置にそれぞれ設けられ、自エレベータ装置の運行を制御する制御盤と、各エレベータ装置の運行を一元管理する群管理装置とを設け、群管理装置が、いずれかのフロアに乗りかごが着床中のエレベータ装置の扉が開放中で、かつ当該乗りかごが満員状態にあるときに当該フロアの操作盤における当該乗りかごの進行方向に対応する呼び釦が操作されことを検知した場合に、操作された呼び釦に応じた呼び登録を行い、適切なエレベータ装置を選択し、選択したエレベータ装置の制御盤に対して、当該フロアに乗りかごを着床させる指示を与える。【選択図】図３
2020189702.tif 000002
【特許請求の範囲】
【請求項１】
隣接して設置された複数のエレベータ装置を有するエレベータシステムにおいて、
各フロアに各エレベータ装置に共通して設置され、上り方向の呼び登録を行うための第１の呼び釦及び下り方向の呼び登録を行うための第２の呼び釦の少なくとも一方が設けられた操作盤と、
各前記エレベータ装置にそれぞれ設けられ、乗りかごの昇降及び前記フロアへの着床、並びに、自エレベータ装置の扉の開閉を制御する制御盤と、
各前記エレベータ装置の運行を一元管理する群管理装置と
を備え、
前記制御盤は、
自エレベータ装置の前記扉の開閉状態及び前記乗りかごの現在の積載量を前記群管理装置に通知し、
前記群管理装置は、
いずれかの前記フロアに前記乗りかごが着床中の前記エレベータ装置の扉が開放中で、かつ当該乗りかごが満員状態にあるときに当該フロアの前記操作盤における当該乗りかごの進行方向に対応する前記第１又は第２の呼び釦が操作されことを検知した場合に、操作された前記第１又は第２の呼び釦に応じた呼び登録を行い、
適切な前記エレベータ装置を選択し、選択したエレベータ装置の前記制御盤に対して、当該フロアに前記乗りかごを着床させるよう指示を与える
ことを特徴とするエレベータシステム。
【請求項２】
前記群管理装置は、
前記エレベータ装置の扉が閉じた状態で前記操作盤の前記第１又は第２の呼び釦が操作されることにより前記呼び登録が行われた場合には、操作された前記第１又は第２の呼び釦を第１の発光状態で発光させ、
前記フロアに前記乗りかごが着床中の前記エレベータ装置の扉が開放中で、かつ当該乗りかごが満員状態にあるときに当該フロアの前記操作盤における当該乗りかごの進行方向に対応する前記第１又は第２の呼び釦が操作されることにより前記呼び登録が行われた場合には、前記第１の発光状態と異なる第２の発光状態で操作された前記第１又は第２の呼び釦を発光させる
ことを特徴とする請求項１に記載のエレベータシステム。
【請求項３】
各前記フロアに各前記エレベータ装置にそれぞれ対応付けて配置され、対応するエレベータ装置の乗りかごが次に到着することを発光により表示する発光部をさらに備え、
前記群管理装置は、
前記フロアに前記乗りかごが着床中の前記エレベータ装置の扉が開放中で、かつ当該乗りかごが満員状態にあるときに当該フロアの前記操作盤における当該乗りかごの進行方向に対応する前記第１又は第２の呼び釦が操作されることにより前記呼び登録が行われたときに、当該フロア内における、次に当該フロアに前記乗りかごを着床させるべき前記エレベータ装置として選択した前記エレベータ装置に対応する前記発光部を発光させる
ことを特徴とする請求項１に記載のエレベータシステム。
【請求項４】
隣接して設置された複数のエレベータ装置を有するエレベータシステムの制御方法において、
前記エレベータシステムは、
各フロアに各エレベータ装置に共通して設置され、上り方向の呼び登録を行うための第１の呼び釦及び下り方向の呼び登録を行うための第２の呼び釦の少なくとも一方が設けられた操作盤と、
各前記エレベータ装置にそれぞれ設けられ、乗りかごの昇降及び前記フロアへの着床、並びに、自エレベータ装置の扉の開閉を制御する制御盤と、
各前記エレベータ装置の運行を一元管理する群管理装置と
を有し、
前記制御盤は、
自エレベータ装置の前記扉の開閉状態及び前記乗りかごの現在の積載量を前記群管理装置に通知し、
前記群管理装置が、いずれかの前記フロアに前記乗りかごが着床中の前記エレベータ装置の扉が開放中で、かつ当該乗りかごが満員状態にあるときに当該フロアの前記操作盤における当該乗りかごの進行方向に対応する前記第１又は第２の呼び釦が操作されことを検知した場合に、操作された前記第１又は第２の呼び釦に応じた呼び登録を行う第１のステップと、
前記群管理装置が、適切な前記エレベータ装置を選択し、選択したエレベータ装置の前記制御盤に対して、当該フロアに前記乗りかごを着床させるよう指示を与える第２のステップと
を備えることを特徴とするエレベータシステムの制御方法。
【請求項５】
前記群管理装置は、
前記エレベータ装置の扉が閉じた状態で前記操作盤の前記第１又は第２の呼び釦が操作されることにより前記呼び登録が行われた場合には、操作された前記第１又は第２の呼び釦を第１の発光状態で発光させ、
前記第２のステップにおいて、前記群管理装置は、
前記フロアに前記乗りかごが着床中の前記エレベータ装置の扉が開放中で、かつ当該乗りかごが満員状態にあるときに当該フロアの前記操作盤における当該乗りかごの進行方向に対応する前記第１又は第２の呼び釦が操作されることにより前記呼び登録が行われた場合には、前記第１の発光状態と異なる第２の発光状態で操作された前記第１又は第２の呼び釦を発光させる
ことを特徴とする請求項４に記載のエレベータシステムの制御方法。
【請求項６】
各前記フロアに各前記エレベータ装置にそれぞれ対応付けて配置され、対応するエレベータ装置の乗りかごが次に到着することを発光により表示する発光部をさらに備え、
前記第２のステップにおいて、前記群管理装置は、
前記フロアに前記乗りかごが着床中の前記エレベータ装置の扉が開放中で、かつ当該乗りかごが満員状態にあるときに当該フロアの前記操作盤における当該乗りかごの進行方向に対応する前記第１又は第２の呼び釦が操作されることにより前記呼び登録が行われたときに、当該フロア内における、次に当該フロアに前記乗りかごを着床させるべき前記エレベータ装置として選択した前記エレベータ装置に対応する前記発光部を発光させる
ことを特徴とする請求項４に記載のエレベータシステムの制御方法。
【発明の詳細な説明】
【技術分野】
【０００１】
本発明はエレベータシステム及びその制御方法に関し、複数のエレベータ装置に共通する操作盤がエレベータホールに設けられたエレベータシステムに適用して好適なものである。
【背景技術】
【０００２】
従来、複数台のエレベータ装置が隣接して設置されたビルでは、各フロアのエレベータホールにエレベータ装置ごとの操作盤（以下、これをホール操作盤と呼ぶ）ではなく、各エレベータ装置に共通のホール操作盤が設置されていることが多い。
【０００３】
このように複数のエレベータ装置に共通のホール操作盤が設置されている場合、１つのホール操作盤に設けられた呼び釦を押圧操作することによって、これら複数のエレベータ装置から構成されるエレベータ装置群全体に対していずれかのエレベータ装置の乗りかごをそのフロアに呼ぶための登録（以下、これを呼び登録と呼ぶ）を行うことができる。
【先行技術文献】
【特許文献】
【０００４】
【特許文献１】特開２０００−２１９４６７号公報
【発明の概要】
【発明が解決しようとする課題】
【０００５】
ところで、かかる構成を有するエレベータシステムでは、いずれかのエレベータ装置の乗りかごがフロアに着床し、その乗りかごの扉及びこれに対応するエレベータホール側の扉（以下、これらを合わせてエレベータ装置の扉と呼ぶ）が開放されている間は、そのフロアのホール操作盤におけるその乗りかごの進行方向（上り方向又は下り方向）に対応する呼び釦を押圧操作したとしても、別のエレベータ装置の乗りかごを呼ぶための呼び登録を行うことができない。
【０００６】
このような場合、通常は、乗りかごが着床中のエレベータ装置の扉が再開放するだけである。なお、この点について、例えば特許文献１には、乗りかごがフロアに到着してからエレベータ装置の扉が完全に閉じるまでの間、当該扉を再開放できることをエレベータ利用者に知らせるべく、呼び釦をフリッカー点灯させることが開示されている。
【０００７】
このため、例えば、着床中の乗りかごが満員であり、エレベータ利用者が次のエレベータ装置の乗りかごの到着を待たざるを得ないような場合に、そのエレベータ装置の扉が閉じて呼び登録が再度できるようになるまでの間に他のエレベータ装置の乗りかごがそのフロアを通過してしまうことがあり、その場合、そのエレベータ利用者が次のエレベータ装置の到着を待つ待ち時間が延びるという問題があった。
【０００８】
本発明は以上の点を考慮してなされたもので、エレベータ装置の待ち時間を短縮させて、エレベータ装置の使い勝手を向上させ得るエレベータシステム及びその制御方法を提案しようとするものである。
【課題を解決するための手段】
【０００９】
かかる課題を解決するため本発明においては、隣接して設置された複数のエレベータ装置を有するエレベータシステムにおいて、各フロアに各エレベータ装置に共通して設置され、上り方向の呼び登録を行うための第１の呼び釦及び下り方向の呼び登録を行うための第２の呼び釦の少なくとも一方が設けられた操作盤と、各前記エレベータ装置にそれぞれ設けられ、乗りかごの昇降及び前記フロアへの着床、並びに、自エレベータ装置の扉の開閉を制御する制御盤と、各前記エレベータ装置の運行を一元管理する群管理装置とを設け、前記制御盤が、自エレベータ装置の前記扉の開閉状態及び前記乗りかごの現在の積載量を前記群管理装置に通知し、前記群管理装置が、いずれかの前記フロアに前記乗りかごが着床中の前記エレベータ装置の扉が開放中で、かつ当該乗りかごが満員状態にあるときに当該フロアの前記操作盤における当該乗りかごの進行方向に対応する前記第１又は第２の呼び釦が操作されことを検知した場合に、操作された前記第１又は第２の呼び釦に応じた呼び登録を行い、適切な前記エレベータ装置を選択し、選択したエレベータ装置の前記制御盤に対して、当該フロアに前記乗りかごを着床させるよう指示を与えるようにした。
【００１０】
また本発明においては、隣接して設置された複数のエレベータ装置を有するエレベータシステムの制御方法において、前記エレベータシステムは、各フロアに各エレベータ装置に共通して設置され、上り方向の呼び登録を行うための第１の呼び釦及び下り方向の呼び登録を行うための第２の呼び釦の少なくとも一方が設けられた操作盤と、各前記エレベータ装置にそれぞれ設けられ、乗りかごの昇降及び前記フロアへの着床、並びに、自エレベータ装置の扉の開閉を制御する制御盤と、各前記エレベータ装置の運行を一元管理する群管理装置とを有し、前記制御盤が、自エレベータ装置の前記扉の開閉状態及び前記乗りかごの現在の積載量を前記群管理装置に通知し、前記群管理装置が、いずれかの前記フロアに前記乗りかごが着床中の前記エレベータ装置の扉が開放中で、かつ当該乗りかごが満員状態にあるときに当該フロアの前記操作盤における当該乗りかごの進行方向に対応する前記第１又は第２の呼び釦が操作されことを検知した場合に、操作された前記第１又は第２の呼び釦に応じた呼び登録を行う第１のステップと、前記群管理装置が、適切な前記エレベータ装置を選択し、選択したエレベータ装置の前記制御盤に対して、当該フロアに前記乗りかごを着床させるよう指示を与える第２のステップとを設けるようにした。
【００１１】
本発明のエレベータシステム及びその制御方法によれば、エレベータ装置の扉が開放中であっても乗りかごが満員状態であれば呼び登録を行うことができるため、そのフロアにより早く次のエレベータ装置の乗りかごを呼ぶことができる。
【発明の効果】
【００１２】
本発明によれば、エレベータ装置の待ち時間を短縮させて、エレベータ装置の使い勝手を向上させ得るエレベータシステム及びその制御方法を実現できる。
【図面の簡単な説明】
【００１３】
【図１】第１の実施の形態によるエレベータシステムの概略構成を示す略線図である。
【図２】第１の実施の形態によるエレベータシステムの概略構成を示すブロック図である。
【図３】満員時呼び登録処理の処理手順を示すフローチャートである。
【図４】第２の実施の形態によるエレベータシステムの概略構成を示す略線図である。
【図５】第２の実施の形態によるエレベータシステムの概略構成を示すブロック図である。
【図６】呼び登録予約処理の処理手順を示すフローチャートである。
【発明を実施するための形態】
【００１４】
以下図面について、本発明の一実施の形態を詳述する。
【００１５】
（１）第１の実施の形態
（１−１）本実施の形態によるエレベータシステムの構成
図１において、１は全体として第１の実施の形態によるエレベータシステムの概略構成を示す。このエレベータシステム１は、隣接して設置された複数台のエレベータ装置２と、これら複数台のエレベータ装置２の運行を一元管理する群管理装置３と、各フロアＦＬのエレベータホールにそれぞれ設置された各エレベータ装置２に共通のホール操作盤４と、各エレベータ装置２にそれぞれ対応付けて各フロアＦＬに設置されたランタン５とを備えて構成される。
【００１６】
各エレベータ装置２は、昇降路１０内を昇降する乗りかご１１と、乗りかご１１の昇降及び着床等を制御する制御盤１２とを備えて構成される。
【００１７】
乗りかご１１は、昇降路１０の上側に配置された巻上機（図示せず）を駆動することにより昇降路１０内を昇降させ得るようになされている。また乗りかご１１の床下には図示しない荷重計が搭載されており、荷重計により計測された乗りかご１１内の積載量が逐次制御盤１２に通知される。これにより乗りかご１１内の積載量が予め設定された最大積載量を超過した場合に、これを制御盤１２が直ちに検知し得るようになされている。
【００１８】
制御盤１２は、自エレベータ装置２の運行を制御する機能を有する制御装置であり、群管理装置３の指示に従って、巻上機等を駆動制御することにより乗りかご１１を指定されたフロアＦＬまで昇降させたり、乗りかご１１がそのフロアＦＬに着床した後にそのエレベータ装置２の扉を開閉させるなど制御処理を実行する。
【００１９】
また制御盤１２は、乗りかご１１の現在位置や、エレベータ装置２の扉の開閉状態及び荷重計により計測された乗りかご１１内の積載量などの自エレベータ装置２の現在の状態を適宜群管理装置３に適宜通知する。
【００２０】
群管理装置３は、図２に示すように、ＣＰＵ（Central Processing Unit）２０及びメモリ２１を備えるコンピュータ装置から構成される。群管理装置３は、各エレベータ装置２の制御盤１２からそれぞれ通知されるこれらエレベータ装置２の現在の状態と、各フロアＦＬのホール操作盤４をエレベータ利用者が操作することにより行われた呼び登録の内容とに基づいて、これらエレベータ装置２を効率良く運用できるよう各エレベータ装置２の制御盤１２に各種指示を適宜与える。
【００２１】
例えば、群管理装置３は、各フロアＦＬのホール操作盤４に対するエレベータ利用者の操作内容に応じて、そのフロアＦＬに次に乗りかご１１を着床させるべきエレベータ装置２を各エレベータ装置２の乗りかご１１の現在位置などに基づいて選択し、選択したエレベータ装置２の制御盤１２に対してそのフロアＦＬに着床すべき旨の指示を与える。この際、群管理装置３は、そのフロアＦＬのそのエレベータ装置２に対応するランタン５を点灯させることにより、次にそのエレベータ装置２がそのフロアＦＬに到着することをエレベータホール内のエレベータ利用者に知らせる。
【００２２】
ホール操作盤４は、上り方向の呼び登録を行うための呼び釦４Ａと、下り方向の呼び登録を行うための呼び釦４Ｂとを備えて構成される。ただし、最下階に配置されたホール操作盤４には上り方向に対応する呼び釦４Ａのみが配設され、最上階に設けられたホール操作盤４には下り方向に対応する呼び釦４Ｂのみが配設される。
【００２３】
エレベータ利用者は、行先フロアの方向（上り方向又は下り方向）に対応する呼び釦４Ａ，４Ｂを押圧操作することにより、その方向への呼び登録を行うことができる。これら呼び釦４Ａ，４Ｂは、いずれも内部に電球を備えており、当該電球に電力を供給し又は電力供給を停止することにより点灯、点滅又は消灯させることができる。
【００２４】
（１−２）本実施の形態による満員時呼び登録機能
次に、本エレベータシステム１に搭載された満員時呼び登録機能について説明する。この満員時呼び登録機能は、フロアＦＬに着床中のエレベータ装置２の扉が開放中であり、かつそのエレベータ装置２の乗りかご１１が満員である場合に、そのフロアＦＬのエレベータホールに設置されたホール操作盤４におけるその乗りかご１１の進行方向（上り方向又は下り方向）と同じ方向の呼び釦４Ａ，４Ｂを押圧操作することによって、次のエレベータ装置２を呼び登録できる機能である。
【００２５】
実際上、本エレベータシステム１の場合、いずれかのフロアＦＬにおいてエレベータ利用者がホール操作盤４における所望する方向の呼び釦４Ａ，４Ｂを押圧操作して呼び登録を行うと、それまで消灯状態にあったその呼び釦４Ａ，４Ｂが点灯状態に状態遷移する。
【００２６】
また、そのフロアＦＬにいずれかのエレベータ装置２の乗りかご１１が着床して当該エレベータ装置２の扉が開放動作を開始すると、その呼び釦４Ａ，４Ｂが再び消灯状態となる。そして、この後、その扉が完全に閉じるまでの間にその呼び釦４Ａ，４Ｂを押圧操作した場合、その都度そのエレベータ装置２の扉が開放動作する。
【００２７】
ただし、このときその乗りかご１１が満員であった場合には、その呼び釦４Ａ，４Ｂを押圧操作したとしてもそのエレベータ装置２の扉が開動作しない。この場合には、かかるエレベータ装置２の扉が完全に閉じる前であっても呼び登録が行われ、群管理装置３によって、次にそのフロアＦＬに乗りかご１１を着床させるべきエレベータ装置２が直ちに選択されて、選択されたエレベータ装置２の制御盤１２に対してそのフロアＦＬに乗りかご１１を着床させるべき旨の指示が与えられる。
【００２８】
そして、このとき押圧操作されたその呼び釦４Ａ，４Ｂが点滅状態となり、これにより呼び登録が行われたことがエレベータ利用者に知らされる。なお、このとき呼び釦４Ａ，４Ｂを、通常の呼び登録が行われたときのように点灯状態とはせずに点滅状態とするのは、エレベータ装置２の扉が開放中であるにも係らず呼び登録が行われたことを分かり易くエレベータ利用者に知らせるためである。
【００２９】
また、この後、そのエレベータ装置２の扉が完全に閉じると、点滅状態にあった上述の呼び釦４Ａ，４Ｂの状態が点灯状態に遷移し、これにより既に呼び登録が完了していることがエレベータ利用者に知らされる。
【００３０】
図３は、このような満員時呼び登録機能に関連して群管理装置３のＣＰＵ２０（図２）により実行される一連の処理（以下、これを満員時呼び登録処理と呼ぶ）の流れを示す。ＣＰＵ２０は、メモリ２１（図２）に格納されている図示しない群管理プログラムに従ってこの図３に示す満員時呼び登録処理を実行する。
【００３１】
実際上、ＣＰＵ２０は、いずれかのエレベータ装置２の乗りかご１１がいずれかのフロアＦＬに着床している状態において、そのフロア（以下、これを着床フロアと呼ぶ）ＦＬのホール操作盤４におけるその乗りかご１１の進行方向の呼び釦４Ａ，４Ｂが押圧操作されたことを検知すると、この図３に示す満員時呼び登録処理を開始する。
【００３２】
そしてＣＰＵ２０は、まず、その乗りかご１１の荷重計により計測された当該乗りかご１１内の積載量と、扉の開閉状態とをそのエレベータ装置２の制御盤１２に問合せ、この問合せに対するその制御盤１２からの応答に基づいて、そのエレベータ装置２の扉が開放中であり、かつそのエレベータ装置２の乗りかご１１が満員状態にあるか否かを判断する（Ｓ１）。
【００３３】
そしてＣＰＵ２０は、この判断で否定結果を得るとこの満員時呼び登録処理を終了する。従って、例えば、満員でない場合には、そのとき着床フロアＦＬに上述の乗りかご１１が着床しているエレベータ装置２の扉が完全に閉じるまで、当該乗りかご１１の進行方向への呼び登録を行うことはできない。
【００３４】
これに対して、ＣＰＵ２０は、ステップＳ１の判断で肯定結果を得ると、その着床フロアに着床している乗りかごの進行方向の呼び釦４Ａ，４Ｂが押圧操作された旨の呼び登録を行い（Ｓ２）、さらに適切なエレベータ装置２（例えば、最短でそのフロアＦＬに着床可能なエレベータ装置２）を選択して、そのエレベータ装置２の制御盤１２にその着床フロアＦＬに乗りかご１１を着床させるべき旨の指示を与える。
【００３５】
続いて、ＣＰＵ２０は、そのとき押圧操作された呼び釦４Ａ，４Ｂを点滅させると共に、着床フロアにおけるステップＳで選択したエレベータ装置２に対応するランタン５を点灯させる（Ｓ３）。このようにランタン５を点灯させることにより、そのエレベータ装置２に乗車できなかったエレベータ利用者に対して次のエレベータ装置２が直ぐに到着する可能性があることを知らせることができ、かかる満員のエレベータ装置２に乗車できなかったことに起因するエレベータ利用者の苛立ちを緩和することができる。
【００３６】
次いで、ＣＰＵ２０は、そのとき乗りかご１１が着床フロアＦＬに着床しているエレベータ装置２の扉の状態をそのエレベータ装置２の制御盤１２に逐次問い合わせるようにして当該扉が完全に閉じるのを待ち受ける（Ｓ４）。そして、ＣＰＵ２０は、やがてかかるエレベータ装置２の扉が完全に閉じることによりステップＳ４で肯定結果を得ると、ステップＳ３で点滅状態にした呼び釦４Ａ，４Ｂを点灯状態に状態遷移させ（Ｓ５）、この後、この満員時呼び登録処理を終了する。
【００３７】
（１−３）本実施の形態の効果
以上のように本実施の形態のエレベータシステム１では、フロアＦＬに着床中のエレベータ装置２の扉が開放中であっても、そのエレベータ装置２の乗りかご１１が満員である場合には呼び登録することができるため、乗りかご１１がフロアＦＬに着床中のエレベータ装置２の扉が完全に閉じるまでは次のエレベータ装置２に対する呼び登録ができなかった既存のエレベータシステムと比べて、より早く次の乗りかご１１をそのフロアＦＬに呼ぶことができる。
【００３８】
従って、本エレベータシステム１によれば、かかる既存のエレベータシステム１と比べてエレベータ利用者が次のエレベータ装置２の乗りかご１１の到着を待つ待ち時間を短縮することができ、かくしてエレベータ利用者のエレベータ装置２の使い勝手を格段的に向上させることができる。
【００３９】
（２）第２の実施の形態
図１及び図２との対応部分に同一符号を付して示す図４及び図５は、第２の実施の形態によるエレベータシステム３０の概略構成を示す。このエレベータシステム３０は、各フロアＦＬの各ホール操作盤４の下側にそれぞれ予約操作盤３１が配設されている点が第１の実施の形態によるエレベータシステム１と大きく相違する。
【００４０】
これら予約操作盤３１には、ホール操作盤４と同様に上り方向に対応させて予約釦３１Ａが配設されると共に、下り方向に対応させて予約釦３１Ｂが配設されており、これらの予約釦３１Ａ，３１Ｂを押圧操作することによって、その予約釦３１Ａ，３１Ｂに対応する方向（上り方向又は下り方向）への呼び登録を予約することができる。
【００４１】
実際上、本エレベータシステム３０の場合、いずれかのフロアＦＬにおいていずれかのエレベータ装置２の乗りかご１１が着床しており、当該エレベータ装置２の扉が開放状態にあるときに、そのフロアＦＬの予約操作盤３１の予約釦３１Ａ，３１Ｂを押圧操作した場合、その旨の通知がその予約操作盤３１から群管理装置３２に送信される。
【００４２】
群管理装置３２は、かかる通知を受信すると、そのエレベータ装置２の扉が開放情報にあることを確認した上で、その予約釦３１Ａ，３１Ｂを消灯状態から点灯状態に状態遷移させると共に、当該予約釦３１Ａ，３１Ｂに対応する方向の呼び登録を内部的に行う。また群管理装置３２は、この後、適切なエレベータ装置２を選択し、そのエレベータ装置２の制御盤１２に乗りかご１１をそのフロアＦＬに着床させるよう指示を与える。
【００４３】
そして群管理装置３２は、この後、そのフロアＦＬのそのエレベータ装置２の扉が完全に閉じたことを確認すると、ホール操作盤４におけるかかる予約釦３１Ａ，３１Ｂに対応する方向の呼び釦４Ａ，４Ｂを点灯させ、これにより当該予約釦３１Ａ，３１Ｂと対応する方向の呼び登録が行われたことをエレベータ利用者に知らせる。また群管理装置３２は、これと併せて押圧操作が行われた上述の予約釦３１Ａ，３１Ｂを消灯状態に戻す。
【００４４】
図６は、このような呼び登録の予約に関連して群管理装置３２のＣＰＵ４０（図５）により実行される一連の処理（以下、これを呼び登録予約処理と呼ぶ）の流れを示す。ＣＰＵ４０は、メモリ４１（図５）に格納されている図示しない群管理プログラムに従ってこの図６に示す呼び登録予約処理を実行する。
【００４５】
実際上、ＣＰＵ４０は、いずれかの予約操作盤３１の予約釦３１Ａ，３１Ｂが押圧操作されるのを待ち受けており、いずれかのフロア（以下、これを対象フロアと呼ぶ）ＦＬの予約操作盤３１からの通知によりその予約操作盤３１の予約釦３１Ａ，３１Ｂが押圧操作されたことを認識すると、この呼び登録予約処理を開始する。
【００４６】
そしてＣＰＵ４０は、まず、そのときその対象フロアＦＬに乗りかご１１が着床中のエレベータ装置２の扉が開放中であるか否かを判断する（Ｓ１０）。この判断は、そのエレベータ装置２の制御盤１２に乗りかご１１の扉が開放中であるか否かを問い合わせ、この問合せに対するその制御盤１２からの応答に基づいて行われる。そしてＣＰＵ４０は、この判断で否定結果を得るとステップＳ１５に進む。
【００４７】
これに対してＣＰＵ４０は、ステップＳ１０の判断で肯定結果を得ると、そのとき押圧操作された予約釦（以下、これを押圧予約釦と呼ぶ）３１Ａ，３１Ｂに対する操作を有効とするよう内部設定し、その押圧予約釦３１Ａ，３１Ｂを消灯状態から点灯状態に状態遷移させる（Ｓ１１）。
【００４８】
またＣＰＵ４０は、この後、かかる対象フロアＦＬにおいて押圧予約釦３１Ａ，３１Ｂが押圧操作された旨の呼び登録を行い、さらに適切なエレベータ装置２を選択して、そのエレベータ装置２の制御盤１２に対象フロアＦＬに乗りかご１１を着床させるべき旨の指示を与える（Ｓ１２）。
【００４９】
続いて、ＣＰＵ４０は、ステップＳ１０で扉が開放中であることを確認したエレベータ装置２の制御盤１２に当該エレベータ装置２の扉の状態を逐次問い合わせるようにして、当該扉が完全に閉じるのを待ち受ける（Ｓ１３）。そしてＣＰＵ４０は、やがてそのエレベータ装置２の扉が完全に閉じることによりステップＳ１３で肯定結果を得ると、対象フロアＦＬのホール操作盤４における押圧予約釦３１Ａ，３１Ｂと同じ方向の呼び釦４Ａ，４Ｂを消灯状態から点灯状態に状態遷移させると共に押圧予約釦３１Ａ，３１Ｂを消灯させる（Ｓ１４）。
【００５０】
さらにＣＰＵ４０は、対象フロアＦＬの各予約操作盤３１におけるステップＳ１４で消灯させた押圧予約釦３１Ａ，３１Ｂと同じ方向の予約釦３１Ａ，３１Ｂに対するこれ以降の押圧操作を無効とする設定を行う（Ｓ１５）。これにより、これ以降に対象フロアＦＬの各予約操作盤３１における押圧予約釦３１Ａ，３１Ｂと同じ方向の予約釦３１Ａ，３１Ｂがいたずらや誤操作により押圧された場合においても呼び登録が行われなくなる。そしてＣＰＵ４０は、この後、この呼び登録予約処理を終了する。
【００５１】
以上のように本実施の形態によるエレベータシステム３０では、ホール操作盤４とは別個に予約登録専用の予約操作盤３１を設置するようにしたことにより、第１の実施の形態によるエレベータシステム１により得られる効果に加えて、ホール操作盤４しか存在しない既存のエレベータシステムの構成に慣れたエレベータ利用者でも分かり易くエレベータ装置２の扉が開放中の予約登録（呼び登録）を行うことができるという効果をも得ることができる。
【００５２】
（３）他の実施の形態
なお上述の第１の実施の形態においては、図３について上述した満員時呼び登録処理のステップＳ３において、そのとき押圧操作されたホール操作盤４の呼び釦４Ａ，４Ｂを点滅させるようにした場合について述べたが、本発明はこれに限らず、当該呼び釦４Ａ，４Ｂを通常の呼び登録を知らせる色とは異なる色で発光させるようにしもて良く、要は、呼び釦４Ａ，４Ｂを通常の発光状態とは異なる発光状態で発光させるようにすればよい。ただし、かかるステップＳ３において、そのとき押圧操作されたホール操作盤４の呼び釦４Ａ，４Ｂを通常の発光状態と同じ発光状態で発光させるようにしてもよい。
【００５３】
また上述の第１の実施の形態においては、各フロアＦＬに各エレベータ装置２にそれぞれ対応付けて配置され、対応するエレベータ装置２の乗りかご１１が次に到着することを発光により表示する発光部としてランタン５を適用するようにした場合について述べたが、本発明はこれに限らず、ランタン５以外の例えば文字を表示する液晶ディスプレイなどの他の発光装置をかかる発光部として適用するようにしてもよい。
【産業上の利用可能性】
【００５４】
本発明は、隣接して設置された複数のエレベータ装置に共通する操作盤がエレベータホールに設置される種々の構成のエレベータシステムに広く適用することができる。
【符号の説明】
【００５５】
１，３０……エレベータシステム、２……エレベータ装置、３，３２……群管理装置、４……ホール操作盤、４Ａ，４Ｂ……呼び釦、５……ランタン、１０……昇降路、１１……乗りかご、１２……制御盤、２０，４０……ＣＰＵ、２１，４１……メモリ、３１……予約操作盤、３１Ａ，３１Ｂ……予約釦。
【図１】
2020189702.tif 000003
【図２】
2020189702.tif 000004
【図３】
2020189702.tif 000005
【図４】
2020189702.tif 000006
【図５】
2020189702.tif 000007
【図６】
2020189702.tif 000008